(57)【要約】【課題】ゴルフパターに関し、一般的な既製品やすでに購入しているパターについて、そのシャッフト長さを簡便に調整する手段を提供する。【解決手段】市販されているパターのどの様な外径のシャッフトにも対応できる筒１０と、シャッフトのグリップ側上端に取り付けてシャッフトと筒とを一体化する固定用器具、および筒のヘッド側先端で筒をシャッフトに密着させる締め具からなるグリップ取り付け用器具により、パターのシャッフト長さを調整する。【選択図】図１
2016209601.tif 000002
【特許請求の範囲】
【請求項１】
ゴルフパターのグリップ部分においてグリップの内側に配置されるとともに、シャッフトに被せられてシャッフト上を上下にスライド可能とされている筒と、この筒をシャッフトのグリップ側の任意の位置に固定するための固定用器具と、筒のヘッド側の先端をシャッフトに密着させるための締め具とを備え、シャッフト上での筒の位置を選択固定することでシャッフト長さを調節可能とすることを特徴とするグリップ取り付け用器具。
【請求項２】
前記固定用器具は、ネジ穴を提供するとともにシャッフト内壁並びに筒内壁への密着可能な部材と、提供されたネジ穴に通すボルトとを備え、ボルトを締め付けることにより、前記部材がシャッフトと筒の内壁に密着して筒とシャッフトを一体化することを特徴とする請求項１に記載のグリップ取り付け用器具。
【請求項３】
前記筒の先端部分には縦の切り込みが設けられており、隙間なくシャッフトに密着して締め具による締め込みが可能とされていることを特徴とする請求項１に記載のグリップ取り付け用器具。
【発明の詳細な説明】
【技術分野】
【０００１】  本発明は、ゴルフパターについて、そのシャッフトの長さを自由に調整することを目的としたグリップ取り付け用器具に関する。
【背景技術】
【０００２】  パターは個人の背の高さやパッテングの個性によりそのシャッフト長さを調整して使うことが望ましいクラブである。しかし現状では、一般的なゴルファーは市販されている既製の長さのパターをグリップも含めた一体のものとして購入し、使用している。【０００３】  購入したパターのグリップを一旦取り外し、シャッフトをカットして短くしたり、延長用の棒をシャッフトに差し込んで長くするなどの調整の後、再度グリップを装着して使用する場合もあるが、その調整が自分に適正な長さかどうかは実際に使用してみなければ分からないのが実情である。【０００４】  調整後のシャッフトの長さが適合しない場合には、再びグリップをシャッフトから取り外し、再度シャッフトをカットしたり延長用の棒を差し込んだりして微調整した後、新たにグリップを装着し直して適正な長さであるかどうかを確かめなければならない。【０００５】  このように、パターを自分に適正な長さで使用するためには煩雑な作業が必要とされている。【０００６】  こういった状況に対処するために、パターに限らずシャッフトの長さを調整する発明はこれまでも考案されている。【０００７】  特許文献１では、シャッフトの長さを調整するためにシャッフト上端部にネジ穴を配置し、シャッフトの外周にグリップを装着するスライド管を配置した構造となっている。スライド管端部にはボルトが貫通する端面版が配置され、シャッフト上端部のネジ穴に対してスライド管に配置したボルトを進退することによりシャッフト長さを調整する構造となっている。この発明では、スライド管がシャッフト軸に沿って回転するのを防ぐためにスライド管とシャッフトをそれぞれ角筒状に形成するか、互いに係合する凸凹をそれぞれに設けた構造となっている。【０００８】  特許文献２では、グリップ部分と下方シャッフトはキー構造を持つ一体のものとして設計されており、グリップ部分内に下方シャッフト内部表面に係会する係止素子を持ち、１インチ単位で係止素子をシャッフト内部表面に係会することによりシャッフト長さの調整を行う。【０００９】  特許文献３では、シャッフト上端部に溶接等で固定されるナット部材にスペーサーが併設され、当該スペーサーを受容した状態でシャッフトの外周にグリップ挿入管を配置した構造となっている。シャッフト長さの調整は、長さの異なるスペーサーをシャッフト上端とグリップ挿入管底面の間に配置し、グリップ挿入管底部を貫通するボルトによりシャッフト上端部のナット部材を介してグリップ挿入管を支持することにより行う。
【先行技術文献】
【特許文献】
【００１０】
【特許文献１】特開平９−２０１４３５号広報
【００１１】
【特許文献２】特開２０１１−０７８７６８号広報
【００１２】
【特許文献３】特開２０１２−２２８３３６号広報
【発明の概要】
【発明が解決しようとする課題】
【００１３】  特許文献１〜３に見られるように、これまでのシャッフト長さの調整に関する発明は、シャッフトとグリップ装着部を一体のものとして設計している。そのため、グリップ装着部を異なった径を持つ複数のシャッフト間で流用すると言った発想に乏しく、すでに市販されているごく一般的なパターのシャッフト長さを調整すると言った設計思想は見られなかった。【００１４】  本発明は一般的な既製品やすでに購入しているパターについて、そのシャッフト長さを簡便に調整する手段を提供することを課題としている。
【課題を解決するための手段】
【００１５】  パターは他のクラブとは異なり、大きなスイングを行わないクラブである。このことを前提に、本発明者は、シャッフトに被せた筒の内壁に対しシャッフトと一体化したわずかな密着部分があれば、シャッフトと筒の間にパターとして使用する際の十分な保持力が得られることを見出した。【００１６】  このことから、本発明者は、シャッフトとグリップ装着部を一体のものとして設計しなくても、シャッフトに被せた筒とシャッフトの間に密着したり離れたりする仕組みがあれば、グリップを被せた筒を自由にスライドさせたり固定したりして、シャッフト長さを調整することが可能であることを想到した。【００１７】  そして、既製品のパターのシャッフトはその外径が一定ではないことから、本発明では、汎用性を持たせるために最大外径のシャッフトを想定し、その外側を移動する筒を用意することによりほとんどすべての既製品パターのシャッフトに対応することを可能とした。【００１８】  すなわち、本発明は、以下の特徴を有するグリップ取り付け用器具を提供する。
１．ゴルフパターのグリップ部において、グリップの内側に配置されるとともに、シャッフトに被せられてシャッフト上を上下にスライド可能とされている筒と、この筒をシャッフトのグリップ側の任意の位置に固定するための固定用器具と、筒のヘッド側の先端をシャッフトに密着させるための締め具とを備え、シャッフト上での筒の位置を選択固定することでシャッフト長さを調節可能とすることを特徴とするグリップ取り付け用器具。【００１９】  ２．前記固定用器具は、ネジ穴を提供するとともにシャッフト内壁並びに筒内壁への密着可能な部材と、提供されたネジ穴に通すボルトとを備え、ボルトを締め付けることにより、前記部材がシャッフトと筒の内壁に密着して筒とシャッフトを一体化することを特徴とするグリップ取り付け用器具。【００２０】  そして、このようなグリップ取り付け用器具においては、次のことも好ましく考慮される。【００２１】  一般にシャッフトはテーパー構造を持っており、一様な径を持つ筒をシャッフトに固定した場合、ヘッド側の筒の先端部分とシャッフトの間には隙間が生じる。この隙間に対し、筒の先端部分に縦の切り込みを入れ、筒を絞り込む締め具を先端に取り付けることにより、隙間を無くして筒のヘッド側先端をシャッフトに密着させることが出来る。【００２２】  以上のような構造を持つ筒を固定用器具と締め具を用いて任意の位置でシャッフトに固定した後、筒に既製品のグリップを従来の方法で取り付ける。さらに筒の先端の締め具にゴムやプラスチック製など素材は特に指定しない材質のキャップを被せることにより、従来のパターと同程度の外見を持つパターが完成する。【００２３】  このように、市販のどの様な外径のシャッフトにも対応できる筒と、シャッフトのグリップ側上端に取り付けてシャッフトと筒を一体化する固定用器具、および筒のヘッド側先端で筒をシャッフトに密着させる締め具を有するグリップ取り付け用器具を提供することにより、市販されているごく一般的なパターやすでに購入されたパターのシャッフト長さを調整することが可能となる。
【発明の効果】
【００２４】  本発明は新品のパターのみならず、すでに使用中のパターにおいてもシャッフト長さを調整することが可能である。【００２５】  また、太さや形状の異なるグリップを装着した複数の筒を用意し、これを交換することによって、一つのパターで簡単に複数の形状のグリップを試打することが可能となり、自分に最適な形状のグリップを選択することが出来る。
【図面の簡単な説明】
【００２６】
【図１】本発明を構成する部材とその取り付け方法を説明するための断面図である。
【図２】本発明の筒内部の取り付け状況を説明するための図である。
【図３】図１とは異なる部材による取り付け方法を説明するための断面図である。
【図４】図３の部材による筒内部の取り付け状況を説明するための図である。
【図５】本発明の締め具を説明するための正面図と平面図である。
【図６】本発明の締め具を説明するための平面透視図と断面図である。
【図７】図５とは異なる部材による締め具を説明するための正面図と平面図である。
【図８】図７の締め具にスペーサーを装着した状態を説明するための図である。
【図９】本発明の筒をシャッフトに装着した状態を説明するための図である。
【発明を実施するための形態】
【００２７】  以下、図面を用いて本発明を説明する。
図１と図３は、各々、異なる実施の形態として、本発明に係わる各部材の断面図とこれをシャッフト６０に取り付ける場合の手順を示したものである。また、図２と図４は、各々、図１と図３に対応して、筒内部での筒とシャッフトの結合、及びグリップを装着した際の最終形のイメージを示す。
【００２８】  本発明は、図１と図２、そして図３と図４に示すように、シャッフト６０の外側をスライドする筒１０と、筒１０とシャッフト６０とを結合する固定用器具２０または固定用器具３０と、筒１０の先端をシャッフト６０に密着させるための締め具４０または締め具５０とを、組み合わせてなることを特徴とする。
【００２９】  図５、図６は図１および図２の例における締め具４０を構成する各部材とその働きを説明するための図である。
【００３０】  図７は図５とは異なった図３および図４の例における形状の締め具５０を構成する各部材とその働きを説明するための図である。また、図８は図７に示す締め具５０を用い、スペーサーを挿入してシャッフトと筒との隙間を最小化した状態を説明するための図である。
【００３１】  図９は筒１０を締め具４０でシャッフト６０に密着させてキャップ４７を装着した際のイメージを示す。
【００３２】（筒）
本発明によるシャッフト長さの調整では、最初に対象とするパターのシャッフト上端を希望するスライド長さに合わせてカットしておく。カット後のシャッフト上端部はそれぞれのパターメーカーで異なる外径を持つが、想定されるシャッフトの最大外径より大きな内径を持つ筒１０を準備することにより、どのようなメーカーのパターにも対応が可能となる。
【００３３】  筒１０のヘッド側端部には、前記締め具で締め付けたときに前記シャッフト６０に十分密着するように例えば図９（ａ）に示すような切り込み１１が入った構造とすることが望ましい。
【００３４】  筒１０の材質は、プラスチック材料、金属材料など特に材質の指定はしないが、十分な強度があれば軽いものが望ましい。
【００３５】（固定用器具）
図１および図２の形態として例示した固定用器具２０は、図１（ａ）に示すように、前記シャッフト６０の上端に固定する円筒状の下部くさび形部材２４、ナット部材２５と前記筒１０の内壁に密着させる対の密着部材２２、対の密着部材２２を一つにまとめて状況により伸び縮みするＯリング２３、対の密着部材２２を広げる円筒状の上部くさび形部材２１、ナット部材２５に貫通し、締め付けることにより対の密着部材２２を前記筒１０に密着させるボルト２６により構成される。
【００３６】  図２（ｂ）に全部の部材を組み合わせた装着前のイメージを示す。実際に装着する場合には一度、固定用器具２０からボルト２６を抜いて、図１（ｂ）に示すように、円筒状の下部くさび形部材２４とナット部材２５、ボルト２６を組み合わせて、前記シャッフト６０の上端に差し込む。
【００３７】  この状態でボルト２６をドライバー８０で締め付けるとナット部材２５のテーパー構造により円筒状の下部くさび形部材２４は前記シャッフト６０の内壁に密着し、固定される。固定後は、ナット部材２５からボルト２６を一旦抜き取ることにより、前記シャッフト６０のグリップ側に対の密着部材２２を広げるためのくさびとボルト穴が提供される。
【００３８】  図１（ｃ）に示すようにボルト２６を円筒状の上部くさび形部材２１、対の密着部材２２、Ｏリング２３と組み合わせてナット部材２５に通した後、前記締め具４０または締め具５０を伴った前記筒１０をこれに被せる。
【００３９】  図２（ｃ）は円筒状の下部くさび形部材２４を前記シャッフト６０の内壁に密着させた状態で、円筒状の上部くさび形部材２１、対の密着部材２２、Ｏリング２３の組み合わせにボルト２６を通した状態のイメージを示す。この段階では、前記筒１０の内壁に固定用器具２０は密着していない。
【００４０】  図１（ｄ）に示すように、ボルト２６を締め付けることにより、円筒状の上部くさび形部材２１と円筒状の下部くさび形部材２４は対の密着部材２２を押し広げてこれを前記筒１０の内壁に密着させる。
【００４１】  以上の手順により、前記筒１０は前記シャッフト６０に固定される。固定後に前記締め具４０または締め具５０により前記筒１０のヘッド側端部を前記シャッフト６０に密着させ、既製品のグリップ７０を従来の方法で前記筒１０に被せた後、キャップ４７を締め具４０または締め具５０に被せる。
【００４２】  図２（ｄ）に固定用器具２０によって前記シャッフト６０と前記筒１０が固定され、グリップ７０とキャップ４７を装着し終わった最終形のイメージを示す。
【００４３】  以上のようにセットされたグリップ部は、既製品のグリップ７０の上部に開いている穴よりドライバー８０を差し込み、ボルト２６を緩めることにより、Ｏリング２３の縮まる力で対の密着部材２２は前記筒１０の内壁から離れる。同時に、キャップ４７を外して前記締め具４０または締め具５０を緩めることによりグリップ７０を被せた前記筒１０は固定を解かれ、前記シャッフト６０の上を自由にスライドさせることが可能となる。
【００４４】  図３には前記の固定用器具２０とは別の形態の固定用器具３０を示している。
【００４５】  図３（ａ）に示すようにこの固定用器具３０は、前記シャッフト６０の上端に固定する部分と前記筒１０の内壁に密着させる部分が一体となった円筒状の連結部材３４と、内部にネジ構造を持つ円筒状の下部くさび形部材３５、ボルト３６、円筒状の連結部材３４を前記筒１０の内壁に密着させるための円筒状の上部くさび形部材３１および円筒状の上部くさび形部材３１をボルト３６の上部に止めるためのワッシャー３２、ナット３３により構成される。
【００４６】  図４（ｂ）に全部の部材を組み合わせた装着前のイメージを示す。
【００４７】  図３（ｂ）に示すように、ボルト３６に円筒状の上部くさび形部材３１をワッシャー３２とナット３３で固定して円筒状の連結部材３４に差し込み、円筒状の下部くさび形部材３５で連結する。これを前記シャッフト６０の上端に差し込み、前記筒１０を上から被せる。
【００４８】  図４（ｃ）には、固定用器具３０を前記シャッフト６０に差し込み、前記筒１０を被せた状態のイメージを示す。この段階では円筒状の連結部材３４は前記シャッフト６０とも前記筒１０とも密着した状態ではない。
【００４９】  ドライバー８０でボルト３６を締め付けると、円筒状の上部くさび形部材３１および円筒状の下部くさび形部材３５のテーパー構造により、円筒状の連結部材３４は前記シャッフト６０の内壁および前記筒１０の内壁に密着し、両者を連結した状態で固定される。
【００５０】  以上の手順で前記シャッフト６０に固定した前記筒１０は、締め具４０または締め具５０によりヘッド側端部を前記シャッフト６０に密着させる。既製品のグリップ７０を従来の方法で装着した後、キャップ４７を締め具４０または締め具５０に被せることにより、従来品と同程度の形状を得ることができる。
【００５１】  図４（ｄ）には、ボルト３６によって締め付けられた固定用器具３０が前記シャッフト６０と前記筒１０の内壁に密着して固定された状態でグリップ７０とキャップ４７を装着した最終形のイメージを示す。
【００５２】  以上のようにセットされたグリップ部は、既製品のグリップ７０の上部に開いている穴よりドライバー８０を差し込み、ボルト３６を緩めることにより円筒状の上部くさび形部材３１がワッシャー３２およびナット３３によってボルト３６と共に上部に移動し、前記シャッフト６０と一体化した円筒状の連結部材３４から解放される。
【００５３】  同時に締め具４０または締め具５０を緩めることにより、グリップ７０を装着した前記筒１０は前記シャッフト６０の上を自由にスライドさせることが可能となる。
（締め具）
市販されているほとんどのパターは、おおむねグリップ部分からヘッド部分にかけてテーパー構造となっているため、前記筒１０を前記固定用器具２０または３０でシャッフトに固定した場合、ヘッド側に隙間が生じる。
【００５４】  本発明では、図５及び図７に示す締め具４０および締め具５０を考案し、これを前記筒１０のヘッド側端部に取り付けることで隙間を防ぐと共に前記筒１０をより強固に前記シャッフト６０に固定する構造となっている。
【００５５】  図５（ａ）、（ｂ）は、それぞれ締め具４０を緩めた場合の正面図と可動部分の平面図を示す。また、図５（ｃ）、（ｄ）は、それぞれ締め具４０を締めた場合の正面図と可動部分の平面図を示す。
【００５６】  なお、図中の筒１０とシャッフト６０は締め具４０の動きを表すための断面図である。
【００５７】  図６（ａ）は、締め具４０の可動部分の透視図を示す。歯車４２と歯車４２に接するリング４４の内側は互いに歯車が噛み合う構造となっており、歯車４２を右に回転させるとリング４４は広がり、歯車４２を左に回転させるとリング４４は縮まる。
【００５８】  図６（ｂ）、（ｃ）には図６（ａ）をＡ−Ａ’面で切断したときの断面図を示す。歯車４２は軸受け４６により、リング４４の間で回転する。軸受け４６の内側にはボルト４１に対応するネジが切ってあり、ボルト４１を締め付けることにより、歯車４２を固定する。
【００５９】  前記筒１０のヘッド側端部には図９（ａ）に示すような切り込み１１が入っており、歯車４２を左に回して十分に締め付けることにより、前記筒１０のヘッド側端部は前記シャッフト６０に密着する。また、歯車４２を右に回転させてリング４４を広げることにより、前記筒１０は密着を解かれ前記シャッフト６０の任意の位置にスライドさせることが可能となる。
【００６０】  図７（ａ）には締め具５０を緩めた場合の正面図を、図７（ｂ）には締め具５０を締めた場合の正面図を示す。また、図７（ｃ）には締め具５０の平面図を示す。
なお、図中の筒１０とシャッフト６０は締め具５０の動きを表すための断面図である。
【００６１】  ネジ５１を締めることによりリング５２は前記切り込み１１の一部を前記シャフト６０に押しつけ、前記筒１０のヘッド側端部は前記シャッフト６０に固定される。
【００６２】  前記筒１０と前記シャッフト６０との隙間が大きく、締め具５０で十分に前記筒１０のヘッド側端部を密着できない場合には、図８に示すように隙間の大きさに適合するスペーサーを前記筒１０と前記シャッフト６０との間に挿入することにより、密着させることができる。
【００６３】  以上のように、固定用器具２０または固定用器具３０および締め具４０または締め具５０により、前記筒１０は前記シャッフト６０の任意の位置にスライドさせて固定することが可能であり、このグリップ取り付け用器具に市販のグリップを被せて用いることにより使用者に合わせたパターのシャッフト長さの調整が自由に行える。
【００６４】  なお、上述したところは、この発明の実施形態の一例を示したにすぎず、特許請求の範囲の記載において、種々の変更を加えることができる。また、各部材の材質についてはプラスチック材料、硬質ゴム材料、金属材料など特に材質の指定はしないが、十分な強度があれば軽いものが望ましい。
【産業上の利用可能性】
【００６５】  本発明によれば、販売店において複数のパターと複数の形状のグリップを適宜交換して、思い通りのシャッフト長さに調整したパターを試打することが可能となる。【００６６】  パター購入者は店頭で自分に最適なシャッフト長さのパターを見いだした後、購入するパターのシャッフトを自分にあった長さにカットや延長してもらい、これに好みのグリップを装着してもらうことにより、自分に最適な長さのパターを入手することができる。【００６７】  このように従来のパターの購入方法に比べて、使用者の要求に会わせたパターを簡単に低コストで提供できる点で、産業上有用である。
【符号の説明】
【００６８】  １０  筒
１１  切り込み
２０  固定用器具Ａ
２１  円筒状の上部くさび形部材
２２  対の密着部材
２３  Ｏリング
２４  円筒状の下部くさび形部材
２５  ナット部材
２６  ボルト
３０  固定用器具Ｂ
３１  円筒状の上部くさび形部材
３２  ワッシャー
３３  ボルト
３４  円筒状の連結部材
３５  円筒状の下部くさび形部材
３６  ボルト
４０  締め具Ａ
４１  ネジ
４２  歯車
４４  リング
４６  軸受け
４７  キャップ
５０  締め具Ｂ
５１  ネジ
５２  リング
５３  スペーサー
６０  シャッフト
７０  グリップ
８０  ドライバー
【図１】
2016209601.tif 000003
【図２】
2016209601.tif 000004
【図３】
2016209601.tif 000005
【図４】
2016209601.tif 000006
【図５】
2016209601.tif 000007
【図６】
2016209601.tif 000008
【図７】
2016209601.tif 000009
【図８】
2016209601.tif 000010
【図９】
2016209601.tif 000011